(57)【要約】【課題】提出者、管理機関及び検査機関それぞれの手間を軽減するとともに、検査サンプル及び検査データの管理を容易且つ確実に行うことができる、新規な検査サンプルの提出袋並びにその利用システムの開発を技術課題とした。【解決手段】前面シート２には、提出者情報２０を印刷して成る個別表示部６と、同様に提出者情報２０を印刷して成る貼付表示部７とを具え、貼付表示部７は、前面シート２から剥離してサンプル容器１０に貼り付けることができるように構成したことを特徴として成り、個別表示部６及び貼付表示部７に対して提出者情報２０を記入する必要がなく、貼付表示部７をサンプル容器１０に貼るだけでよいので、検査サンプルの提出に要する手間が省けるとともに、提出者情報２０の記入漏れや、不明瞭な文字を排除することができるため、検査サンプル及び検査データの管理を容易且つ確実に行うことができる。【選択図】　　　図１
2004125691.tif 000002
【特許請求の範囲】
【請求項１】
前面シートと背面シートとが重ね合わされ、開口部が残された状態で他の周囲が固着されるようにして袋状とし、これにサンプル容器を収納できるようにした袋体において、前記前面シートには、提出者情報を印刷して成る個別表示部と、同様に提出者情報を印刷して成る貼付表示部とを具え、この貼付表示部は、前記前面シートから剥離してこれをサンプル容器に貼り付けることができるように構成したことを特徴とする検査サンプルの提出袋。
【請求項２】
前記個別表示部には、個々の提出者毎に割り当てられた固有の付与情報が、バーコードとして印刷されていることを特徴とする請求項１記載の検査サンプルの提出袋。
【請求項３】
前記提出者情報は、管理機関の保有するデータに基づき印刷されるものであることを特徴とする請求項１または２記載の検査サンプルの提出袋。
【請求項４】
前記貼付表示部には、前記個別表示部に印刷された付与情報と同じ付与情報が印刷されていることを特徴とする請求項２または３記載の検査サンプルの提出袋。
【請求項５】
サンプル容器に収納された検査サンプルを、提出者情報の印刷された提出袋に収納した状態で検査機関に提出し、この検査機関において検査サンプルの検査を行うシステムにおいて、前記提出袋は、前記請求項１乃至４に記載した構成を有するものであり、前記提出者情報に対応する提出者各人が、サンプル容器に前記前面シートから取り外した貼付表示部を貼り付けるとともに、検査サンプルをサンプル容器に収納し、その後このサンプル容器を提出袋に収納し、更に管理機関が各人から提出袋を回収するとともにまとめて検査機関に提出し、その後、検査機関から管理機関を通じて検査結果を各提出者にフィードバックすることを特徴とする検査サンプルの提出袋の利用システム。
【請求項６】
前記検査結果のうち二次検査を要するものについては、対応する提出者の提出者情報を抽出し、この提出者情報を印刷した二次検査用の提出袋を供給して二次検査を行うことを特徴とする請求項５記載の検査サンプルの提出袋の利用システム。
【発明の詳細な説明】
【０００１】
【発明の属する技術分野】
本発明は、例えば学校等で児童、生徒の集団検診時に行われる尿検査等において、各人が検査サンプルを提出するときに用いられる検査サンプルの提出袋並びにその利用システムに関するものである。
【０００２】
【発明の背景】
従来、尿検査、便検査等を行う場合、図５に示すような検査サンプルを直接収容するサンプル容器１０′と、このサンプル容器１０′を収容する提出袋１′とが組み合わされて用いられる。このうち少なくとも前記収納袋１′は、提出者を識別するための提出者情報（氏名、所属組織名、部署名、性別、年齢等）が提出者によって手書きされて用いられている。
そして学校や職場（管理機関）で行われる集団検診のように、一挙に大量の検査サンプルを検査する場合であっても、各個人毎に提出袋への記入を行わせるとともに、複数の提出袋を適宜回収袋に収納する等して検査機関に送る手法が採られている。
【０００３】
このような従来手法においては、提出者情報の記入漏れがあったり、あるいは字のくせで読みにくかったりする場合があり、検査サンプルの管理は必ずしも厳密に行われているとはいえなかった。また特に検査機関において図４に示すような複数のサンプル容器を収容するサンプルトレーＴを用いる場合、処理を行う順番（出席番号等）に従ってサンプル容器１０′が順番通りに収められていることが好ましいが、欠席者があった場合等には、本来、空所となっているべき個所にその次の人のサンプル容器１０′が収められてしまうこともあり、検査サンプル及び検査データの管理を複雑化させてしまう要因となっている。
【０００４】
【解決を試みた技術課題】
本発明はこのような背景を考慮してなされたものであって、提出者、管理機関及び検査機関それぞれの手間を軽減するとともに、検査サンプル及び検査データの管理を容易且つ確実に行うことができる、新規な検査サンプルの提出袋並びにその利用システムの開発を技術課題としたものである。
【０００５】
【課題を解決するための手段】
すなわち請求項１記載の検査サンプルの提出袋は、前面シートと背面シートとが重ね合わされ、開口部が残された状態で他の周囲が固着されるようにして袋状とし、これにサンプル容器を収納できるようにした袋体において、前記前面シートには、提出者情報を印刷して成る個別表示部と、同様に提出者情報を印刷して成る貼付表示部とを具え、この貼付表示部は、前記前面シートから剥離してこれをサンプル容器に貼り付けることができるように構成したことを特徴として成るものである。
この発明によれば、提出者は、個別表示部及び貼付表示部に対して提出者情報を記入する必要がなく、貼付表示部をサンプル容器に貼るだけでよいので、検査サンプルの提出に要する手間が省ける。また管理機関及び検査機関にとっては、提出者情報の記入漏れや、不明瞭な文字を排除することができるため、検査サンプル及び検査データの管理を容易且つ確実に行うことができる。
【０００６】
また請求項２記載の検査サンプルの提出袋は、前記要件に加え、前記個別表示部には、個々の提出者毎に割り当てられた固有の付与情報が、バーコードとして印刷されていることを特徴として成るものである。
この発明によれば、検査サンプル及び検査データの管理を、バーコードに基づいて行うことができ、付与情報の読み取りをバーコードリーダにより行うことができるため、検査サンプル及び検査データの管理を容易且つ確実に行うことができる。
【０００７】
更にまた請求項３記載の検査サンプルの提出袋は、前記要件に加え、前記提出者情報は、管理機関の保有するデータに基づき印刷されるものであることを特徴として成るものである。
この発明によれば、管理機関の保有する、電子化された提出者情報のデータを用いた場合には、提出者情報の誤字、脱字を防止することができるとともに、入力作業を省略することができる。
【０００８】
更にまた請求項４記載の検査サンプルの提出袋は、前記請求項２または３記載の要件に加え、前記貼付表示部には、前記個別表示部に印刷された付与情報と同じ付与情報が印刷されていることを特徴として成るものである。
この発明によれば、検査サンプル及び検査データの管理を、付与情報に基づいて行うことができ、検査サンプル及び検査データの管理を容易且つ確実に行うことができる。
【０００９】
また請求項５記載の検査サンプルの提出袋の利用システムは、サンプル容器に収納された検査サンプルを、提出者情報の印刷された提出袋に収納した状態で検査機関に提出し、この検査機関において検査サンプルの検査を行うシステムにおいて、前記提出袋は、前記請求項１乃至４に記載した構成を有するものであり、前記提出者情報に対応する提出者各人が、サンプル容器に前記前面シートから取り外した貼付表示部を貼り付けるとともに、検査サンプルをサンプル容器に収納し、その後このサンプル容器を提出袋に収納し、更に管理機関が各人から提出袋を回収するとともにまとめて検査機関に提出し、その後、検査機関から管理機関を通じて検査結果を各提出者にフィードバックすることを特徴として成るものである。
この発明によれば、提出者は、個別表示部及び貼付表示部に対して提出者情報を記入する必要がなく、貼付表示部をサンプル容器に貼るだけでよいので、検査サンプルの提出に要する手間が省ける。また管理機関及び検査機関にとっては、提出者情報の記入漏れや、不明瞭な文字を排除することができるため、検査サンプル及び検査データの管理を容易且つ確実に行うことができる。
【００１０】
また請求項６記載の検査サンプルの提出袋の利用システムは、前記請求項５記載の要件に加え、前記検査結果のうち二次検査を要するものについては、対応する提出者の提出者情報を抽出し、この提出者情報を印刷した二次検査用の提出袋を供給して二次検査を行うことを特徴として成るものである。
この発明によれば、付与情報及び提出者情報並びに検査結果に基づいて容易に且つ間違えることなく二次検査用の提出袋を供給することができる。
そしてこれら各請求項記載の発明の構成を手段として前記課題の解決が図られる。
【００１１】
【発明の実施の形態】
以下本発明の検査サンプルの提出袋並びにその利用システムについて説明するものであり、まず提出袋１の構成について説明した後、この提出袋１を利用した検査システムＳについて説明する。
図中符号１で示すものが本発明の提出袋であり、このものは、学校や職場で行われる集団検診等の診断メニューの一つである尿検査、便検査等、被検者の排泄物等を検査サンプルとする検査に供されるものである。
【００１２】
この提出袋１は、前面シート２と背面シート３とが重ね合わされ、開口部５が残された状態で他の周囲が固着されるようにして袋状とし、これにサンプル容器１０を収納できるようにした袋体である。なお前面とは少なくとも下記提出者情報２０が印刷される面を前面とするものであり、背面とはその反対側の面を意味するものである。
そして前記前面シート２には、提出者情報２０を印刷して成る個別表示部６と、同様に提出者情報２０を印刷して成る貼付表示部７とが形成される。この貼付表示部７は、前記前面シート２から剥離してこれをサンプル容器１０に貼り付けることができるように構成されるものであり、このため一例として前面シート２全体を剥離紙に対して粘着紙を貼付したものとし、この粘着紙の一部に切り込みを入れて貼付表示部７を形成した。
なおこの実施の形態では、貼付表示部７を二つ形成するものであり、一方の貼付表示部７を予備用として具えるものである。
【００１３】
また前記個別表示部６には、個々の提出者１０１毎に割り当てられた固有の付与情報２１が印刷される。この付与情報２１は、適宜決定し得るものであり、この実施の形態では一例として「○×中学校」を表す数字「５３７」と、「１年生」を表す数字「０１」と、「２組」を表す数字「０２」と、「出席番号４」を表す数字「０４」とを組み合わせた数字「５３７０１０２０４」とした。なおこの実施の形態では、前記個別表示部６に、前記付与情報２１を表すバーコード２２も印刷するものであり、汚れ等によって読み取り不能となる事態を考慮して二カ所に同じものを印刷した。
【００１４】
更にまた前記提出者情報２０は、管理機関１００の保有するデータに基づき印刷されるものである。この管理機関１００とは、提出者１０１に対するサンプル容器１０及び提出袋１の配付並びに回収を行う組織を意味するものであり、被検者である提出者１０１の所属する学校、職場等が該当するものである。
そして管理機関１００にあっては、生徒や従業員の氏名、所属部署、性別、年齢等の提出者情報２０を、一例としてパソコンＰＣの表計算ソフトで作成された電子化データとして保有しているものである。
【００１５】
更にまた前記貼付表示部７には、前記個別表示部６に印刷された付与情報２１と同じ付与情報２１が印刷されるものであり、この実施の形態では一例として前出の数字「５３７０１０２０４」を印刷するものであり、更に提出者情報２０についても印刷するようにした。また前記バーコード２２についても、貼付表示部７に印刷しておいてもよい。なお貼付表示部７を背面シート３に設けるようにすることもできる。
【００１６】
本発明の提出袋１は一例として上述したように構成されるものであり、以下この提出袋１を利用した検査システムＳについて説明する。この検査システムＳは図１に示すように、提出者１０１の所属する学校、職場等である管理機関１００と、検査サンプルの一例である提出者１０１の尿の検査を行う、病院、保健所等の検査機関１０２及び提出者１０１の自宅１０３とによって構成されるものである。
【００１７】
（１）提出袋の作成
一般的に集団検診は、学校や職場等の管理機関１００が行うものであり、実際の診断作業は病院、保健所等の検査機関１０２に委託するものである。
そして検査機関１０２にあっては、管理機関１００の保有するデータに基づいて、提出者情報２０及び付与情報２１の印刷された提出袋１を作成するものであり、この提出袋１及びサンプル容器１０を管理機関１００に送付する。なお管理機関１００から検査機関１０２へのデータ提供は、一例としてパソコンＰＣの表計算ソフトで作成された電子化データの形で、インターネットや専用回線等の通信手段を用いて行うものとする。また前記サンプル容器１０は、一例としてポリプロピレンを素材として成る容量１０ミリリットル程度の瓶状容器であって、容器本体１０ａはスポイトとしても機能するものである。また容器本体１０ａの開口部を塞いで内容物の流出を防ぐために蓋１０ｂを具えるものである。
なおこの実施の形態では、前記提出袋１の作成を、検査機関１０２において行うようにしたが、この作業を管理機関１００あるいは代行業者等において行うようにしてもよい。
【００１８】
（２）提出者への配付
次いで管理機関１００において、各提出者１０１に対して提出袋１、サンプル容器１０及び紙コップ９が配付されるものであり、提出者１０１はこれらを自宅１０３に持ち帰り、翌朝尿を採取する。
具体的には図３（ａ）に示すように、提出者１０１は、まずサンプル容器１０の容器本体１０ａに、提出袋１における前面シート２から取り外した貼付表示部７を貼り付けるものであり、その後図３（ｂ）に示すように、紙コップ９内に収容した検査サンプルたる尿をサンプル容器１０に収納する。
【００１９】
（３）サンプルの提出
そして提出者１０１は、図３（ｃ）に示すように、尿を収容した容器本体１０ａを閉栓した後、このサンプル容器１０を提出袋１に収納して管理機関１００に提出する。
このように提出者１０１は、提出者情報２０を記入するといった煩わしい作業を要することなく検査を受けることができるものである。
一方、管理機関１００は、複数の提出者１０１から回収した提出袋１をまとめて回収袋Ｂに収容し、このものを検査機関１０２に送付する。なおこの際、検査機関１０２において各サンプル及び検査結果のデータが付与情報２１に基づいて管理されることに因み、管理機関１００においては、提出袋１を出席番号順に並べる等といった煩わしい作業を要することがない。
【００２０】
（４）検査機関による検査
検査機関１０２においては、提出袋１からサンプル容器１０を取り出すとともに、バーコード２２をバーコードリーダを用いて読み取り、サンプル容器１０をサンプルトレーＴに収容し、順次サンプルの検査を行うものである。
この際、各サンプル及び検査結果のデータは、付与情報２１に基づいて管理されるものであり、検査作業を効率的に行うことができる。具体的には図４に示したサンプルトレーＴは、５０人分のサンプル容器１０を収容できるものであるが、一クラスの人数がこれに満たない場合や未提出者があった場合、空いた所に次のクラスに所属する提出者１０２のサンプル容器１０を収容し、５０個のサンプルをまとめて検査することが可能となるものである。
【００２１】
（５）検査結果の報告及び二次検査の実施
そして全てのサンプルの検査が終了したら、検査機関１０２は検査結果を集計し、管理機関１００に報告する。なお各サンプル及び検査結果のデータは、付与情報２１に基づいて管理されるため、適宜クラス毎に出席番号順に並び変えるなどの集計作業を効率的に行うことができる。
そして検査の結果、再度の検査が必要であると判断された提出者１０１に対しては二次検査を実施するものであり、検査機関１０２においては管理機関１００から提供されたデータ及び検査結果に基づいて、提出者情報２０及び付与情報２１の印刷された二次検査用の提出袋１を作成し、このものを管理機関１００に送付し、二次検査を実施する。
【００２２】
【発明の効果】
本発明によれば、提出者１０１、管理機関１００及び検査機関１０２それぞれの手間を軽減するとともに、検査サンプル及び検査データの管理を容易且つ確実に行うことができる。
【図面の簡単な説明】
【図１】本発明の提出袋の利用システムたる検査システムを示す概略図である。
【図２】本発明の提出袋を示す正面図及びサンプル容器を示す斜視図である。
【図３】提出袋の使用態様を段階的に示す斜視図である。
【図４】サンプルトレーを示す斜視図及び平面図である。
【図５】従来の提出袋を示す正面図である。
【符号の説明】
１　　　（検査サンプルの）提出袋
２　　　前面シート
３　　　背面シート
５　　　開口部
６　　　個別表示部
７　　　貼付表示部
９　　　紙コップ
１０　　サンプル容器
１０ａ　容器本体
１０ｂ　蓋
２０　　提出者情報
２１　　付与情報
２２　　バーコード
１００　管理機関
１０１　提出者
１０２　検査機関
１０３　自宅
Ｂ　　　回収袋
ＰＣ　　パソコン
Ｓ　　　検査システム
Ｔ　　　サンプルトレー
【図１】
2004125691.tif 000003
【図２】
2004125691.tif 000004
【図３】
2004125691.tif 000005
【図４】
2004125691.tif 000006
【図５】
2004125691.tif 000007